(57)【要約】【課題】  乳幼児の睡眠中の寝返り、俯せ等による窒息事故を未然に防止する警報装置を提供する。【解決手段】  スタンド５には、方向が自在に変えられるアーム部５ａを介して逆Ｕ字状カバー１が取り付けられており、その内周面にはＬＥＤの発光素子２と受光素子３とがそれぞれ複数個取り付けられていて、その逆Ｕ字状カバー１は睡眠中の乳幼児８の頭部を覆うように設置されており、乳幼児８の頭部には反射テープ４が取り付けられていて、乳幼児の額が上方あるいは横を向いている状態では、逆Ｕ字状カバー１の内周面に取り付けられた発光素子２から発せられる光は反射テープ４に反射して受光素子３で検出されていて、受光素子３が反射テープ４による発光素子２の反射光を受光している状態のときはスタンド５に内蔵したスピーカー６からの警報音を停止した状態にしている。【選択図】      図１
2006081864.tif 000002
【特許請求の範囲】
【請求項１】
仰向けに寝た乳幼児の額には光を反射する反射板が取り付けてあり、その額と所定距離をもって覆うように位置した逆Ｕ字形状のカバーを保持するスタンドであって、額に対面する逆Ｕ字形状のカバー内周面には複数からなる発光素子と受光素子とが取り付けてあり、通常、受光素子は乳幼児の額に取り付けた反射板により反射した発行素子の光を検出しているが、乳幼児の寝返りや移動に伴って反射板がずれ、受光素子が発光素子からの反射光を検出しなくなった場合にスタンドに内蔵させたスピーカーから警報音の発生や同じく内蔵したランプの点灯によって、乳幼児の寝返りや額が移動したことを外部に知らせるようにしたことを特徴とした警報装置。
【請求項２】
乳幼児の額にはＬＥＤ等の発光体が取り付けてあり、その額と所定距離をもって覆うようにした逆Ｕ字形状のカバーを保持するスタンドであって、額に対面する逆Ｕ字形状のカバー内周面には複数からなる受光素子が取り付けてあり、通常は受光素子は乳幼児の額に取り付けたＬＥＤからの光を検出しているが、乳幼児の寝返りや移動に伴ってＬＥＤがずれ、受光素子がＬＥＤの光を検出しなくなった場合には、スタンドに内蔵させたスピーカーから警報音を発して乳幼児の額が移動したことを外部に知らせるようにしたことを特徴とした請求項１記載の警報装置
【請求項３】
前記スタンドの逆Ｕ字形状のカバーは乳幼児の頭部形状に合わせて自在に湾曲、変形できることを特徴とした請求項１記載の警報装置。
【発明の詳細な説明】
【技術分野】
【０００１】  本発明は、乳幼児が睡眠中に寝返り等による窒息する事故を未然に防止する警報装置に関する。
【背景技術】  乳幼児が睡眠中に寝返りを打つことにより、枕や布団に口、鼻を圧迫したまま自力による復帰ができずに呼吸困難となって死亡に至る事故が頻繁に発生している。
このような事故を防止する手段としては、一般家庭においては保護者が付き添って監視する、また病院、保育園のように複数の乳幼児を預かる施設に於いては監視カメラによりモニターで監視するなどが一般的で、いずれの場合にも常に目を離さずに監視していなければない不便さがあった。また一般家庭に於いて保護者が一人の場合には、長時間連続して監視するのは困難であった。
【発明の開示】
【発明が解決しようとする課題】
【０００２】  そこで、本発明の目的は常に監視しているわずらしさを解消し、乳幼児が睡眠中に寝返りをうったことを知らせ、窒息する事故を未然に防止する事のできる警報装置を提供することにある。
【課題を解決するための手段】
【０００３】  以上の課題を解決するには、本願請求項１に示すように、仰向けに寝た幼児の額正面から両側面までを覆うようにした逆Ｕ字状のカバーをもったスタンドであって、その頭部に対面する逆Ｕ字状カバー内周面には複数のＬＥＤ等の発光素子と受光素子とがそれぞれ複数個取り付けられている。スタンドにはスピーカーまたはランプ、あるいは無線で警報を知らせる発信器が内蔵されており、受光素子が発光素子の反射光を受光していない場合は内蔵されたスピーカーまたはランプ、あるいは警報を無線で発信する機能を備えており、受光素子が発光素子の反射光を受光している状態では警報音等は発しないようにしている。また仰向けに寝た幼児の額の一部には光を反射するための反射板あるいは反射テープが接着紙あるいはヘアーバンドにより取り付けられている。
この事により、乳幼児が仰向けに寝ている時は、逆Ｕ字状カバーの内周面に取り付けられた発光素子の光は乳幼児の額の反射板に反射して、同じく逆Ｕ字状カバー内周面に取り付けられた受光素子が受光する事になる。この状態ではスタンドに内蔵されたスピーカーやランプ、発信器による警報機能は働かない。この状態から睡眠中の幼児が横ないしは俯せ状態になったときは、その額に取り付けられた反射板も水平から下方向に位置することになり、逆Ｕ字状のカバー内周面の発光素子は反射板によって反射されず、従って受光素子も発光素子の反射光を検出できなくなり、このときスタンドに内蔵されたスピーカーから発信警報音を発する、あるいは内蔵した発信器から信号を発生して、幼児が俯せ等の危険な状態になった事を知らせるようにした。
【発明の効果】
【０００４】  以上述べたように本発明によれば、例えば睡眠中の乳幼児が正常な状態で寝ている時にはその額に取り付けられた反射板により、逆Ｕ字状カバー内周面に取り付けられた受光素子は、同じく逆Ｕ字状カバーの内周に取り付けられた発光素子からの反射光を受光しているが、この状態から乳幼児が睡眠中に寝返りをうって俯せ状態になったときは、その額に取り付けられた反射板も一緒に下方向を向くことになり、受光素子は発光素子からの反射光を検出できなくなった場合に警報音を発生させ、離れたところにいる保護者にも危険を知らしめることができ、窒息による事故を未然に防止する事ができる。
【発明を実施するための形態】
【０００５】  次に、本発明の実施の形態を図に従って説明する。
図１は本発明の実際に設置された状態の概略図である。図の逆Ｕ字状カバー１の内周面にはＬＥＤの発光素子２と受光素子３がそれぞれ複数個取り付けられていて、方向を自在に変えられるアーム部５ａを介してスタンド５に取り付けられており、スタンド５にはスピーカー６と内蔵された発信器から電波を発信するためのアンテナ７が取り付けられている。
【０００６】  図１のスタンド５の逆Ｕ字状カバー１は睡眠中の乳幼児８の頭部を覆うように設置してあって、乳幼児８の頭部には反射テープ４が取り付けられている。前記乳幼児の額が上方あるいは横を向いている状態では、逆Ｕ字状カバー１の内周面に取り付けられた発光素子２から発せられる光は反射板４に反射して受光素子３で検出されることになる。この受光素子３が発光素子２の反射光を検出している状態では受光素子からの信号がスピーカー６からの警報音の発生を停止した状態にしている。この状態から乳幼児が下方向に俯せ状態になると、乳幼児８の額に取り付けられた反射テープ４も下方向を向くことになり、受光素子３は発光素子２のからの反射光を受光できなくなり、受光中発せられていた受光素子３からの信号が停止する。この受光素子３からの信号が停止することによってスピーカー６から警報音の遮断が解除され警報音が発生するようにした。また受光素子３の信号が停止した場合には内蔵させた送信器によりアンテナ７を介して信号が送信され、離れた場所でも警報音が鳴るようになっている。
【図面の簡単な説明】
【０００７】
【図１】  本発明の実施例における警報装置の概略図である。
【符号の説明】
【００１０】  １‥‥Ｕ字カバー
２‥‥発光素子
３‥‥受光素子
４‥‥反射テープ
５‥‥スタンド
６‥‥スピーカー
７‥‥アンテナ
８‥‥乳幼児頭部
【図１】
2006081864.tif 000003